(57)【要約】      （修正有）【課題】電力増幅器上の電力消費を減少させる装置を提供する。【解決手段】電力増幅器１００の温度を検出するように構成された温度検出器２００と、電力増幅器に接続され、電力増幅器の電源電圧を調節するように構成された電圧変換器３００と、温度検出器及び電圧変換器に別個に接続され、温度検出器によって検出された電力増幅器の温度に従って該温度に対応する電圧補償値を探すように構成され、かつ、電圧補償値に従って電力増幅器の効率を向上させることが可能な電源電圧を出力するよう電圧変換器を制御するように構成された、コントローラ４００とを含む。コントローラは、温度検出器によって検出された電力増幅器の温度に従って、温度に対応する電圧補償値を探し、電圧補償値に従って、電力増幅器の効率を向上させることが可能な電源電圧を出力するよう電圧変換器を制御する。【選択図】図１
2014027661.tif 000002
【特許請求の範囲】
【請求項１】
電力増幅器に接続された、電力増幅器上の電力消費を減少させる装置であって、ここで前記電力増幅器上の電力消費を減少させる前記装置は、
前記電力増幅器の温度を検出するように構成された温度検出器と、
前記電力増幅器に接続され、前記電力増幅器の電源電圧を調節するように構成された電圧変換器と、
前記温度検出器及び前記電圧変換器に別個に接続され、前記温度検出器によって検出された前記電力増幅器の前記温度に従って前記温度に対応する電圧補償値を探すように構成された、かつ、前記電圧補償値に従って前記電力増幅器の効率を向上させることが可能な電源電圧を出力するよう前記電圧変換器を制御するように構成された、コントローラと、
を備える、電力増幅器上の電力消費を減少させる装置。
【請求項２】
前記温度検出器は温度センサである、請求項１に記載の電力増幅器上の電力消費を減少させる装置。
【請求項３】
請求項１に記載の電力増幅器上の電力消費を減少させる前記装置に基づいた、電力消費を減少させる方法であって、ここで電力消費を減少させる前記方法は、
前記電力増幅器の温度を検出するステップと、
前記電力増幅器の前記温度に従って前記温度に対応する電圧補償値を探し、前記電圧補償値に従って前記電力増幅器の効率を向上させることが可能な電源電圧を出力するよう電圧変換器を制御するステップと、
を含む、電力消費を減少させる方法。
【請求項４】
電力増幅器の温度を検出する前記ステップ、又は、前記電力増幅器の前記温度に従って前記温度に対応する電圧補償値を探し、前記電圧補償値に従って前記電力増幅器の効率を向上させることが可能な電源電圧を出力するよう前記電圧変換器を制御する前記ステップの前に、前記方法は、
前記電力増幅器の前記温度と前記電力増幅器の前記電圧補償値との間の対応表を事前設定すること
を更に含む、請求項３に記載の電力消費を減少させる方法。
【請求項５】
前記電力増幅器の前記温度に従って前記温度に対応する電圧補償値を探し、前記電圧補償値に従って前記電力増幅器の効率を向上させることが可能な電源電圧を出力するよう前記電圧変換器を制御することは、具体的には、
前記電力増幅器の前記温度及び前記対応表に従って前記温度に対応する前記電圧補償値を探し、前記電圧補償値に従って前記電力増幅器の前記効率を向上させることが可能な前記電源電圧を出力するよう前記電圧変換器を制御すること
である、請求項４に記載の電力消費を減少させる方法。
【請求項６】
モバイル端末であって、前記モバイル端末は、電力増幅器と、前記電力増幅器に接続された、前記電力増幅器上の電力消費を減少させる装置とを備え、前記電力増幅器上の電力消費を減少させる前記装置は、
前記電力増幅器の温度を検出するように構成された温度検出器と、
前記電力増幅器に接続され、前記電力増幅器の電源電圧を調節するように構成された電圧変換器と、
前記温度検出器及び前記電圧変換器に別個に接続され、前記温度検出器によって検出された前記電力増幅器の前記温度に従って前記温度に対応する電圧補償値を探すように構成された、かつ、前記電圧補償値に従って前記電力増幅器の効率を向上させることが可能な電源電圧を出力するよう前記電圧変換器を制御するように構成された、コントローラと、
を備える、モバイル端末。
【請求項７】
前記温度検出器は温度センサである、請求項６に記載のモバイル端末。
【発明の詳細な説明】
【技術分野】
【０００１】
本発明は、省エネルギーの分野に関し、特に、電力増幅器上の電力消費を減少させる装置、方法、及びモバイル端末に関する。
【背景技術】
【０００２】
モバイル端末製品は、電力消費に対する高い要求を有する。バッテリ駆動のモバイル端末上の電力消費を減少させることは、モバイル端末のバッテリ寿命を増加させる可能性がある。装置全体のうちの主要な電力消費部分として、電力増幅器の電力消費は、普及した３Ｇモバイル端末において、５０％、又は更に多くを占める場合がある。モバイル端末の出力電力及び入力電力が、それぞれ別のモバイル端末のものと同じである場合、１つのモバイル端末についての電力増幅器の効率が高ければ高いほど、そのモバイル端末についての電力消費はより小さい。従って、電力増幅器の効率を最適化することは、システム全体における電力消費を減少させることに関して顕著な効果を有する。
【０００３】
現在のところ、電力増幅器はどの温度でも同じ電源電圧を採用する。このように、一般的な温度及び低温において電力増幅器の動作電圧は、高温において準拠されてもよい様々な仕様に準拠しなければならない。その結果、一般的な温度及び低温における電力増幅器の効率は最も理想的な程度に到達せず、従って、電力増幅器上の電力消費における減少に反している。
【発明の概要】
【０００４】
本発明の目的は、モバイル端末上の電力増幅器のための電源電圧が温度の変化に伴って調節されることができないという理由で発生する、電力増幅器上の高電力消費の問題を解決することを目的とした、電力増幅器上の電力消費を減少させる装置を提供することである。
【０００５】
本発明は、電力増幅器に接続された、電力増幅器上の電力消費を減少させる装置を介して実施され、ここで、電力増幅器上の電力消費を減少させる装置は、
電力増幅器の温度を検出するように構成された温度検出器と、
電力増幅器に接続され、電力増幅器の電源電圧を調節するように構成された電圧変換器と、
温度検出器及び電圧変換器に別個に接続され、温度検出器によって検出された電力増幅器の温度に従って該温度に対応する電圧補償値を探すように構成された、かつ、電圧補償値に従って電力増幅器の効率を向上させることが可能な電源電圧を出力するよう電圧変換器を制御するように構成された、コントローラとを含む。
【０００６】
本発明の別の目的は、電力増幅器上の電力消費を減少させる装置に基づいた、電力消費を減少させる方法を提供することであり、ここで、電力消費を減少させる方法は、
電力増幅器の温度を検出するステップと、
電力増幅器の温度に従って該温度に対応する電圧補償値を探し、電圧補償値に従って、電力増幅器の効率を向上させることが可能な電源電圧を出力するよう電圧変換器を制御するステップとを含む。
【０００７】
本発明の別の目的は、電力増幅器上の電力消費を減少させる装置を含む、モバイル端末を提供することである。
【０００８】
本発明では、コントローラが、温度検出器及び電圧変換器に別個に接続される。コントローラは、温度検出器によって検出された電力増幅器の温度に従って、該温度に対応する電圧補償値を探し、該電圧補償値に従って、電力増幅器の効率を向上させることが可能な電源電圧を出力するよう電圧変換器を制御する。これは、電力増幅器が任意の温度において最適な効率で動作することを可能にし、電力増幅器の電力消費を大幅に減少させうる。
【図面の簡単な説明】
【０００９】
【図１】本発明の実施形態による、電力増幅器上の電力消費を減少させる装置の回路モジュール図である。
【図２】本発明の実施形態による、電力増幅器上の電力消費を減少させる方法のフローチャートである。
【発明を実施するための形態】
【００１０】
本発明の目的、技術的解決法、及び利点をより明確にするために、以下では、本発明について、添付の図面及び実施形態を参照して詳細に更に説明する。特定の実施形態は、本発明を説明するために使用されるものにすぎず、本発明を限定することを意図するものではないということを理解されたい。
【００１１】
図１は、電力増幅器上の電力消費を減少させる装置内の、回路モジュールの構成を示す。説明を容易にするために、本発明の実施形態に関連する部分のみが示されている。詳細な説明は、以下の通りである。
【００１２】
電力増幅器１００に接続された、電力増幅器上の電力消費を減少させる装置が提供される。この装置は、
電力増幅器１００の温度を検出するように構成された温度検出器２００と、
電力増幅器１００に接続され、電力増幅器１００の電源電圧を調節するように構成された電圧変換器３００と、
温度検出器２００及び電圧変換器３００に別個に接続され、温度検出器２００によって検出された電力増幅器１００の温度に従って該温度に対応する電圧補償値を探すように構成された、かつ、電圧補償値に従って、電力増幅器１００の効率を向上させることが可能な電源電圧を出力するよう電圧変換器３００を制御するように構成された、コントローラ４００とを含む。
【００１３】
本発明の一実施形態として、温度検出器２００は温度センサである。
【００１４】
図２は、電力増幅器上の電力消費を減少させる方法のフローチャートである。説明を容易にするために、本発明の実施形態に関連する部分のみが示されている。詳細な説明は、以下の通りである。
【００１５】
電力増幅器の電力消費を減少させる装置に基づいた、電力消費を減少させる方法が提供される。この方法は、以下のステップを含む。
【００１６】
ステップＳ１：電力増幅器の温度と電力増幅器の電圧補償値との間の対応表を事前設定する。
【００１７】
ステップＳ１は、予め実行される準備作業である。
【００１８】
ステップＳ２：電力増幅器の温度を検出する。
【００１９】
ステップＳ３：電力増幅器の温度に従って該温度に対応する電圧補償値を探し、該電圧補償値に従って、電力増幅器の効率を向上させることが可能な電源電圧を出力するよう電圧変換器を制御する。
【００２０】
ステップＳ３は、具体的には、
対応表に従って、温度に対応する電圧補償値を探し、該電圧補償値に従って、電力増幅器の効率を向上させることが可能な電源電圧を出力するよう電圧変換器を制御することを含む。
【００２１】
本発明の一実施形態は、電力増幅器上の電力消費を減少させる装置を含む、モバイル端末を更に提供する。
【００２２】
本発明の実施形態では、コントローラが、温度検出器及び電圧変換器に別個に接続され、コントローラは、温度検出器によって検出された電力増幅器の温度に従って該温度に対応する電圧補償値を探し、該電圧補償値に従って、電力増幅器の効率を向上させることが可能な電源電圧を出力するよう電圧変換器を制御する。これは、電力増幅器が、任意の温度において、最適な効率で動作することを可能にし、電力増幅器の電力消費を大幅に減少させうる。
【００２３】
前述の説明は、本発明の例示的実施形態にすぎず、本発明を限定することを意図するものではない。本発明の精神及び原理内で行われる、任意の変形、均等な置換、及び改良は、本発明の保護範囲内に入る。
【図１】
2014027661.tif 000003
【図２】
2014027661.tif 000004
【外国語明細書】
2014027661000001.pdf